(57)【要約】      （修正有）【課題】冬期の犬の散歩においてリードを掴む手を寒さから守る防寒カバーを提供する。【解決手段】防寒カバーは、表布と裏布との２重構造で手を挿入する底部とリードを通す頂部を有しリードを掴む手に冷気が入り込まないように、底部から前記リードを通す頂部に向かって窄まる円錐形の形状で手首まで包み込む。また防寒カバーは、手袋と併用して使用でき転倒等の緊急時に直ぐに防寒カバーから手を放すことができるようにゆとりのある大きさに縫製する。また、散歩中の振動や犬の動きにより前記防寒カバーがリードから滑り落ちることを防ぐため前記防寒カバー内部の前記リードを通す頂部近傍に裏布と同じ素材で紐を形成し共に掴むことで落下防止になる。同じく防寒カバー内部には寒さに応じて使用できるように発熱物を入れるための収納内袋を有している。【選択図】図３
0003123466.tif 000002
【実用新案登録請求の範囲】
【請求項１】
手を挿入するための底部と犬のリードを通すための頂部を有し、リードを持つ手に冷気が入り込まないように前記手を挿入する底部から前記リードを通す頂部に向かって窄まる円錐形の形状で手首まで包み込むことができる防寒カバーである。また、手袋と併用して使用でき転倒等の緊急時に直ぐに防寒カバーから手を放すことができるようにゆとりのある大きさに縫製する。前記手を挿入する底部から手を入れ前記リードを通す頂部からは犬のリードを通して前記防寒カバー内でリードを掴んで使用することを特徴とする犬の散歩用防寒カバーである。
【請求項２】
散歩中の振動や犬の動きにより前記防寒カバーがリードから滑り落ちることを防ぐため前記防寒カバー内部の前記リードを通す頂部近傍に落下防止紐を有し、リードと共に掴めるようにしたことを特徴とする請求項１に記載の防寒カバーである。
【請求項３】
また同じく前記防寒カバー内部には、発熱物を入れるための収納内袋を有したことを特徴とする特徴とする請求項１、２に記載の防寒カバーである。
【考案の詳細な説明】
【技術分野】
【０００１】  本考案は、冬期の犬の散歩においてリードを持つ手を寒さから守ることのできる防寒カバーに関するものである。
【背景技術】
【０００２】  今まで冬期の犬の散歩は、素手若しくは手袋を嵌めて散歩するかの何方かに限られていた。そのため寒さの厳しい地方では、リードを持つ手を手袋だけは守ることができず散歩をしているうちに指先が凍えてしまい苦痛であった。
また、犬の散歩に要する時間も長時間であり冬期の犬の散歩は負担が大きかった。
【考案の開示】
【考案が解決しようとする課題】
【０００３】  リードを持たない手は寒さを凌ぐため洋服のポケットに入れることはできてもリードを掴んでいる手は犬の動きでなかなかポケットに入れて散歩することは困難である。
そこで本考案は、素手は勿論のこと手袋と併用して使用することができリードを持つ手を包み込んで寒さから手を守る防寒カバーを提供し前記の欠点を解決するものである。
【課題を解決するための手段】
【０００４】  そこで目的を達成するための本考案における犬の散歩用防寒カバーは、表布と裏布を重ね合わせた２重構造で、手を挿入するための底部とリードを通すための頂部を有し、リードを持つ手に冷気が入り込まないように前記手を挿入する底部から前記リードを通す頂部に向かって窄まる円錐形の形状で、手首まで包み込むことができる。手袋と併用して使用でき、また転倒等の緊急時に直ぐに手を放すことができるようにゆとりのある大きさに縫製する。また、散歩中の振動や犬の動きにより前記防寒カバーがリードから滑り落ちることを防ぐため前記防寒カバー内部の前記リードを通す頂部近傍に落下防止紐を有し、リードと共に掴むことで落下防止になる。同じく防寒カバー内部には寒さに応じて使用できるように発熱物を入れるための収納内袋を有している。
【考案の効果】
【０００５】  よって本考案の防寒カバーは、表布と裏布との２重構造により冷気を通さず暖かい。
防寒カバー内部に収納内袋を有しているので発熱物を入れて使用することでより一層暖かさを保つことができる。
また防寒カバー内部には落下防止紐を有し、リードと共に掴むことで散歩中の振動や犬の動きにより防寒カバーがリードから滑り落ちることを防止することができる。
また手袋と併用して使用でき、転倒等の緊急時に直ぐに手を放すことができる。
【考案を実施するための最良の形態】
【０００６】  保温性のある素材を表布、肌触りが良く保温性のある素材を裏布に用い表布と裏布を重ね合わせた２重構造で手を挿入する底部とリードを通す頂部を有し、リードを持つ手に冷気が入り込まないように手を挿入する底部からリードを通す頂部に向かって窄まる円錐形の形状で手首まで包み込むことができる防寒カバーである。
また手袋と併用しで使用することができ、転倒等の緊急時に直ぐに防寒カバーから手を放すことができるようにゆとりのある大きさに縫製する。また防寒カバー内部には散歩中の振動や犬の動きにより防寒カバーがリードから滑り落ちることを防ぐためリードと共に掴むように防寒カバーの頂部近傍に裏布と同じ素材で紐を形成し防寒カバーに縫い付けて落下防止紐とする。同じく防寒カバー内部の側面には裏布と同じ素材で収納内袋を縫い付けて発熱物を入れて使用することができる。
【実施例】
【０００７】  以下本考案を図面の実施例により具体的に説明する。
図１において、１は犬の散歩用防寒カバーである。表布２と裏布３を重ね合わせた２重構造で手を挿入する底部４とリードを通す頂部５を有した円錐形の形状で、手を挿入する底部４からリードを通す頂部５に向かって窄まるように縫製する。
手を挿入する底部４には裏布３を防寒カバー１の約１／５程見えるように出して手を挿入する時の手触りを良くする。【０００８】  図２において、防寒カバー１の内部には裏布３と同じ素材で紐を形成して防寒カバー１のリードを通す頂部５近傍に縫い付けて落下防止紐６とする。
また、同じく防寒カバー１の内部には裏布３と同じ素材で収納内袋７を形成して防寒カバー１の内部側面に縫い付け発熱物を収納することができる。【０００９】  図３において、落下防止紐６はリードを通す頂部５から通したリード８と共に掴むことによって滑り落ちることを防ぐことができる。【００１０】  図４において、犬の散歩用防寒カバーの使用例である。
【図面の簡単な説明】
【００１１】
【図１】本考案の犬の散歩用防寒カバー正面図である。
【図２】本防寒カバーの断面図である。
【図３】本防寒カバーに手を挿入し、落下防止紐とリードを掴んだ時の断面図である。
【図４】本防寒カバーの使用例である。
【符号の説明】
【００１２】１    防寒カバー
２    表布
３    裏布
４    手を挿入する底部
５    リードを通す頂部
６    落下防止紐
７    収納内袋
８    リード
９    犬
１０  人間
【図１】
0003123466.tif 000003
【図２】
0003123466.tif 000004
【図３】
0003123466.tif 000005
【図４】
0003123466.tif 000006
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
・手を挿入するための底部と犬のリードを通すための頂部を有し、リードを持つ手に冷気が入り込まないように前記手を挿入する底部から前記リードを通す頂部に向かって窄まる円錐形の形状で手首まで包み込むことができ、前記手を挿入する底部から手を入れ前記リードを通す頂部からは犬のリードを通して前記防寒カバー内でリードを掴んで使用し、ゆとりのある大きさに縫製することで手袋と併用して使用したり、転倒等の緊急時に直ぐに防寒カバーから手を放すことができる構造を有することを特徴とする防寒カバー。
【請求項２】
・散歩中の振動や犬の動きにより前記防寒カバーがリードから滑り落ちることを防ぐため前記防寒カバー内部の前記リードを通す頂部近傍に落下防止紐を有し、リードと共に掴めるようにしたことを特徴とする請求項１に記載の防寒カバー。
【請求項３】
・前記防寒カバー内部には、発熱物を入れるための収納内袋を有したことを特徴とする請求項１、２に記載の防寒カバー。